【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、正又は負の屈折力の第２レンズ群を有する前群と、光路を折り曲げる反射ミラーと、２以上のレンズ群を有する後群から構成され、ズーミングに際して隣り合うレンズ群の間隔が変化するズームレンズであって、ズーミングに際して、前記反射ミラーは不動であり、前記第１レンズ群と前記後群を構成する少なくとも２つのレンズ群は移動し、沈胴収納に際して、前記反射ミラーは回転軸を中心とした回動と前記後群の光軸方向への移動の少なくとも一方の動作を行い、前記反射ミラーの動作によって生ずる空間内に前記前群の少なくとも一部が収納され、前記前群を構成する負の屈折力のレンズ群のうち屈折力の絶対値が最も大きいレンズ群の焦点距離をｆｎ、望遠端における全系の焦点距離をｆｔ、前記後群を構成する２以上のレンズ群の広角端から望遠端へのズーミングにおける移動量の最大値と最小値をそれぞれMmax、Mmin、前記前群の光軸と前記後群の光軸を含む断面における前記反射ミラーの反射面の長さをLp、前記第１レンズ群の最大有効径をDとするとき、
０．５０＜｜（Mmax−Mmin）｜/（D-Lp/√2）＜１．００
１０．５＜ｆt/|ｆｎ|＜３０．０
なる条件式を満足することを特徴とするズームレンズ。
【請求項２】
前記後群を構成する２以上のレンズ群のレンズ構成長の最大値をLmaxとするとき、
０．５０＜Lmax/(Lp/√2)＜２．００
なる条件式を満足することを特徴とする請求項１に記載のズームレンズ。
【請求項３】
前記後群のうち、最も像側に配置されるレンズ群の焦点距離をｆｒとするとき、
０．１０＜ｆr/ｆt＜０．４０
なる条件式を満足することを特徴とする請求項１又は２に記載のズームレンズ。
【請求項４】
前記前群を構成する負の屈折力のレンズ群のうち屈折力の絶対値が最も大きいレンズ群は２以上の負レンズを有しており、該２以上の負レンズの材料の屈折率の平均値をNｎとするとき、
１．８５＜Nn＜２．００
なる条件式を満足することを特徴とする請求項１乃至３のいずれか１項に記載のズームレンズ。
【請求項５】
前記後群を構成するレンズ群のうち最も物体側に配置されたレンズ群は、第１サブレンズ群と、光軸に対して垂直方向の成分を持つ方向に移動して結像位置を光軸に対して垂直方向に移動させる第２サブレンズ群よりなることを特徴とする請求項１乃至４のいずれか１項のズームレンズ。
【請求項６】
前記前群の変倍比をZｆ、前記後群の変倍比をZｒとするとき、
１．５０＜Zｆ/Zｒ＜６．００
なる条件式を満足することを特徴とする請求項１乃至５のいずれか１項に記載のズームレンズ
【請求項７】
前記反射ミラーは、沈胴収納に際して、回動と前記後群の光軸方向への移動の両方の動作を行うことを特徴とする請求項１乃至６のいずれか１項のズームレンズ。
【請求項８】
前記前群は、物体側から像側へ順に、正の屈折力の第１レンズ群、負の屈折力の第２レンズ群より構成され、前記後群は、物体側から像側へ順に、正の屈折力の第３レンズ群、負の屈折力の第４レンズ群、正の屈折力の第５レンズ群から構成されることを特徴とする請求項１乃至７のいずれか１項に記載のズームレンズ。
【請求項９】
前記前群は、物体側から像側へ順に、正の屈折力の第１レンズ群、負の屈折力の第２レンズ群、負の屈折力の第３レンズ群より構成され、前記後群は、物体側から像側へ順に、正の屈折力の第４レンズ群、負の屈折力の第５レンズ群、正の屈折力の第６レンズ群から構成されることを特徴とする請求項１乃至７のいずれか１項に記載のズームレンズ。
【請求項１０】
前記前群は、物体側から像側へ順に、正の屈折力の第１レンズ群、負の屈折力の第２レンズ群より構成され、前記後群は、物体側から像側へ順に、負の屈折力の第３レンズ群、正の屈折力の第４レンズ群、負の屈折力の第５レンズ群、正の屈折力の第６レンズ群から構成されることを特徴とする請求項１乃至７のいずれか１項に記載のズームレンズ。
【請求項１１】
前記前群は、物体側から像側へ順に、正の屈折力の第１レンズ群、負の屈折力の第２レンズ群より構成され、前記後群は、物体側から像側へ順に、正の屈折力の第３レンズ群、正の屈折力の第４レンズ群より構成されることを特徴とする請求項１乃至７のいずれか１項に記載のズームレンズ。
【請求項１２】
前記前群は、物体側から像側へ順に、正の屈折力の第１レンズ群、正の屈折力の第２レンズ群、負の屈折力の第３レンズ群より構成され、前記後群は、物体側から像側へ順に、正の屈折力の第４レンズ群、負の屈折力の第５レンズ群、正の屈折力の第６レンズ群から構成されることを特徴とする請求項１乃至７のいずれか１項に記載のズームレンズ。
【請求項１３】
請求項１乃至１２のいずれか１項の記載のズームレンズと、該ズーミングによって形成された像を受光する固体撮像素子を有することを特徴とする撮像装置。
【手続補正２】
【補正対象書類名】明細書
【補正対象項目名】００１１
【補正方法】変更
【補正の内容】
【００１１】
本発明のズームレンズは、物体側から像側へ順に、正の屈折力の第１レンズ群、正又は負の屈折力の第２レンズ群を有する前群と、光路を折り曲げる反射ミラーと、２以上のレンズ群を有する後群から構成され、ズーミングに際して隣り合うレンズ群の間隔が変化するズームレンズであって、ズーミングに際して、前記反射ミラーは不動であり、前記第１レンズ群と前記後群を構成する少なくとも２つのレンズ群は移動し、沈胴収納に際して、前記反射ミラーは回転軸を中心とした回動と前記後群の光軸方向への移動の少なくとも一方の動作を行い、前記反射ミラーの動作によって生ずる空間内に前記前群の少なくとも一部が収納され、前記前群を構成する負の屈折力のレンズ群のうち屈折力の絶対値が最も大きいレンズ群の焦点距離をｆｎ、望遠端における全系の焦点距離をｆｔ、前記後群を構成する２以上のレンズ群の広角端から望遠端へのズーミングにおける移動量の最大値と最小値をそれぞれMmax、Mmin、前記前群の光軸と前記後群の光軸を含む断面における前記反射ミラーの反射面の長さをLp、前記第１レンズ群の最大有効径をDとするとき、
０．５０＜｜（Mmax−Mmin）｜/（D-Lp/√2）＜１．００
１０．５＜ｆt/|ｆｎ|＜３０．０
なる条件式を満足することを特徴としている。
【手続補正３】
【補正対象書類名】明細書
【補正対象項目名】００１４
【補正方法】変更
【補正の内容】
【００１４】
以下、本発明のズームレンズ及びそれを有する撮像装置について説明する。本発明のズームレンズは、物体側から像側へ順に、正の屈折力の第１レンズ群、正又は負の屈折力の第２レンズ群を有する前群と、光路を折り曲げる反射ミラーと、２以上のレンズ群を有する後群から構成されている。そしてズーミングに際して隣り合うレンズ群の間隔が変化する。またズーミングに際して反射ミラーは不動で第１レンズ群と後群を構成する少なくとも２つのレンズ群が移動する。そして沈胴収納に際して、反射ミラーは回転軸を中心とした回動と後群の光軸方向への移動の少なくとも一方の動作を行い、反射ミラーの動作によって生ずる空間内に前群の少なくとも一部が収納される。
【手続補正４】
【補正対象書類名】明細書
【補正対象項目名】００１７
【補正方法】変更
【補正の内容】
【００１７】
各実施例では光路中に設けた反射ミラーで光路を折り曲げているが各レンズ断面図では便宜上光路を展開した状態で示している。図１１（Ａ）、（Ｂ）は本発明の実施例１において反射ミラーで光路を折り曲げたときの撮影時のレンズ断面図と非撮影時で沈胴収納時の撮影装置の説明図である。
【手続補正５】
【補正対象書類名】明細書
【補正対象項目名】００３６
【補正方法】変更
【補正の内容】
【００３６】
後群ＬＲを構成する２以上のレンズ群のレンズ構成長の最大値をLmaxとする。後群ＬＲのうち、最も像側に配置されるレンズ群の焦点距離をｆｒとする。前群ＬＦを構成する負の屈折力のレンズ群のうち屈折力の絶対値が最も大きいレンズ群は２以上の負レンズを有しており、２以上の負レンズの材料の屈折率の平均値をNｎとする。前群ＬＦの変倍比をZｆ、後群ＬＲの変倍比をZｒとする。このとき、次の条件式のうち１以上を満足するのが良い。
【手続補正６】
【補正対象書類名】明細書
【補正対象項目名】００４１
【補正方法】変更
【補正の内容】
【００４１】
条件式（５）は、前群ＬＦを構成する負の屈折力のレンズ群のうち屈折力の絶対値が最も大きいレンズ群を構成する負レンズの材料についての屈折率の平均値を規定したものである。条件式（５）の下限を超えると負レンズのコバ部の厚みが大きくなるため、カメラ厚が大型化する。逆に上限を超える材料では、一般に高分散材を使用することになり、色収差の補正が困難になり、それに起因してレンズ構成が複雑となってカメラが大型化してくる。さらに望ましくは、条件式（５）の数値範囲を以下とすることで、より小型なカメラを実現することが容易となる。
【手続補正７】
【補正対象書類名】明細書
【補正対象項目名】００５１
【補正方法】変更
【補正の内容】
【００５１】
前群ＬＦを構成する負の屈折力のレンズ群のうち、屈折力の絶対値が最も大きいレンズ群に相当するのは第２レンズ群Ｌ２である。第２レンズ群Ｌ２の屈折力は強いため、これを構成する負レンズの材料の屈折率の平均値に関する条件式（５）の値は１．８７と大きい材料を選択している。なお、本実施例では、第３レンズ群Ｌ３は第１サブレンズ群Ｌ３ａと第２サブレンズ群Ｌ３ｂを有し、第２サブレンズ群Ｌ３ｂで手ブレ補正を行っている。
【手続補正８】
【補正対象書類名】明細書
【補正対象項目名】００５４
【補正方法】変更
【補正の内容】
【００５４】
具体的には広角端から望遠端へのズーミングに際して第１レンズ群Ｌ１は物体側へ直線的に又は像側に凸状の軌跡を描いて移動する。第２レンズ群Ｌ２は像側へ凸状の軌跡を描いて移動する。第４レンズ群Ｌ４は物体側へ移動する。フォーカシングに際しては第６レンズ群Ｌ６が移動している。
【手続補正９】
【補正対象書類名】明細書
【補正対象項目名】００５７
【補正方法】変更
【補正の内容】
【００５７】
第２レンズ群Ｌ２の屈折力は強いため、これを構成する負レンズの材料の屈折率の平均値に関する条件式（５）の値は、１．８７と大きい材料を選択している。なお、本実施例では、第４レンズ群Ｌ４は第１サブレンズ群Ｌ４ａと第２サブレンズ群Ｌ４ｂを有し、第２サブレンズ群Ｌ４ｂで、手ブレ補正を行っている。その他の点は、実施例１と同じである。
【手続補正１０】
【補正対象書類名】明細書
【補正対象項目名】００６１
【補正方法】変更
【補正の内容】
【００６１】
後群ＬＲを構成するレンズ群のうち、最大のレンズ構成長を有する第４レンズ群Ｌ４の厚みに関する条件式（３）の値は、１．３９である。また、最終レンズ群の屈折力に関する条件式（４）の値は、０．１８と強い屈折力配置として、後群ＬＲの変倍時の駆動量を抑えている。前群ＬＦを構成する負の屈折力のレンズ群のうち、屈折力の絶対値が最も大きいレンズ群に相当するのは第２レンズ群Ｌ２である。第２レンズ群Ｌ２の屈折力は強いため、これを構成する負レンズの材料の屈折率の平均値に関する条件式（５）の値は、１．９２と大きい材料を選択している。
【手続補正１１】
【補正対象書類名】明細書
【補正対象項目名】００６６
【補正方法】変更
【補正の内容】
【００６６】
第２レンズ群Ｌ２の屈折力は強いため、これを構成する負レンズの材料の屈折率の平均値に関する条件式（５）の値は、１．８７と大きい材料を選択している。なお、本実施例では、第３レンズ群Ｌ３は第１サブレンズ群Ｌ３ａと第２サブレンズ群Ｌ３ｂを有し、第２サブレンズ群Ｌ３ｂで手ブレ補正を行っている。その他の点は、実施例１と同じである。
【手続補正１２】
【補正対象書類名】明細書
【補正対象項目名】００７１
【補正方法】変更
【補正の内容】
【００７１】
前群ＬＦを構成する負の屈折力のレンズ群のうち屈折力の絶対値が大きいレンズ群に相当するのは第３レンズ群Ｌ３である。第３レンズ群Ｌ３の屈折力は強いため、これを構成する負レンズの材料の屈折率の平均値に関する条件式（５）の値は、１．８７と大きい材料を選択している。なお、本実施例では、第４レンズ群Ｌ４は第１サブレンズ群Ｌ４ａと第２サブレンズ群Ｌ４ｂを有し、第２サブレンズ群Ｌ４ｂで手ブレ補正を行っている。その他の点は、実施例１と同じである。以上のように各実施例のズームレンズはズーミングに際して隣り合うレンズ群の間隔が変化する。
【手続補正１３】
【補正対象書類名】明細書
【補正対象項目名】００７５
【補正方法】変更
【補正の内容】
【００７５】
但しＲは近軸曲率半径である。また例えば「Ｅ−Ｚ」の表示は「１０-Z」を意味する。数値実施例において最後の２つの面は、フィルター、フェースプレート等の光学ブロックの面である。各実施例において、バックフォーカス（ＢＦ）は最終レンズ面から像面までの空気換算における距離である。レンズ全長は最も物体側のレンズ面から最終レンズ面までの距離に空気換算でのバックフォーカスの距離を加えたものである。また、各数値実施例における上述した条件式との対応を表１に示す。
【手続補正１４】
【補正対象書類名】明細書
【補正対象項目名】００７６
【補正方法】変更
【補正の内容】
【００７６】
数値実施例１
単位 mm
面データ
面番号       r        d      nd      νd    有効径   外径
1         36.280    1.10   1.84666  23.8   27.32    28.5
2         22.075    5.00   1.49700  81.5   25.18
3       3819.484    0.10                   24.91
4         21.953    3.40   1.71300  53.9   23.62
5         83.784  (可変)                   23.08
6         67.363    1.05   1.84954  40.1   12.55
7*         7.239    2.86                    9.23
8        -11.608    0.60   1.88300  40.8    8.77
9          8.601    0.19                    8.49
10          9.629    2.04   1.94595  18.0    8.57
11        -92.242    4.80                    8.51
12          ∞     (可変)                   11.31
13*         8.197    2.52   1.55332  71.7    7.44
14*       -83.098    1.00                    6.92
15(絞り)    ∞       1.00                    6.31
16          9.731    0.60   1.84666  23.8    6.32
17          6.137    1.40                    6.05
18         10.932    3.42   1.54814  45.8    6.63
19        -10.241    0.60   1.80610  33.3    6.53
20        -44.165  (可変)                    6.65
21        -16.021    0.70   1.77250  49.6    7.60
22        232.382  (可変)                    7.91
23*        14.352    3.61   1.48749  70.2   11.05
24        -13.063  (可変)                   11.19
25          ∞       0.80   1.51633  64.1   20.00
26          ∞       2.37                   20.00
像面        ∞
【手続補正１５】
【補正対象書類名】明細書
【補正対象項目名】００７７
【補正方法】変更
【補正の内容】
【００７７】
非球面データ
第7面
K  =-2.66260e-001  A 4= 1.25506e-004  A 6=-1.40891e-005
A 8= 1.00423e-006  A10=-2.39914e-008 
第13面
K  =-2.33750e-001  A 4=-3.57071e-005  A 6=-1.50723e-006
A 8= 1.80588e-008
第14面
K = 0.00000e+000  A 4= 4.19704e-005
第23面
K  = 0.00000e+000  A 4=-2.08667e-004  A 6= 1.38190e-006
A 8=-2.20568e-008
各種データ
ズーム比     12.75
広角     中間     望遠
焦点距離       5.18    22.00    66.05 
Fナンバー      3.07     4.67     6.42
半画角（度）  33.59     8.89     2.98 
像高           3.44     3.44     3.44 
レンズ全長    71.81 82.44 88.07
BF           11.00 10.62 4.87
d 5            0.50    11.14    16.87 
d12           18.28     6.91     4.30 
d20            1.36    12.73    15.29 
d22            4.68     5.05    10.75 
d24            8.10     7.72     1.97 
入射瞳位置    17.46    59.48   143.60 
射出瞳位置   -61.28   152.44    38.52 
前側主点位置  22.22    84.71   330.31 
後側主点位置  -2.81   -19.63   -63.68 
ズームレンズ群データ
群  始面    焦点距離  レンズ構成長  前側主点位置  後側主点位置
1    1      32.00         9.59         2.33         -3.75
2    6      -5.41        11.54         1.45         -8.21
3   13      14.26        10.55         0.39         -7.75
4   21     -19.38         0.70         0.03         -0.37
5   23      14.66         3.61         1.33         -1.21
GB   25       ∞           0.80         0.26         -0.26
単レンズデータ
レンズ  始面  焦点距離
1       1    -69.04
2       2     44.66
3       4     40.79
4       6     -9.62
5       8     -5.52
6      10      9.31
7      13     13.62
8      16    -21.25
9      18     10.23
10      19    -16.67
11      21    -19.38
12      23     14.66
13      25      0.00
【手続補正１６】
【補正対象書類名】明細書
【補正対象項目名】００７８
【補正方法】変更
【補正の内容】
【００７８】
数値実施例２
単位 mm
面データ
面番号       r        d      nd      νd   有効径    外径
1         34.288    1.10   1.84666  23.8   26.50    27.50
2         20.047    4.76   1.49700  81.5   24.13
3        157.849    0.10                   23.92
4         22.449    3.42   1.77250  49.6   23.37
5        106.336  (可変)                   22.91
6        102.105    1.05   1.84954  40.1   14.07
7*         7.207    3.24                   10.15
8        -17.054    0.60   1.88300  40.8    9.85
9         10.643    0.10                    9.63
10         10.710    2.17   1.94595  18.0    9.74
11       -238.729  (可変)                    9.62
12        -14.788    0.60   1.48749  70.2    8.13
13        -22.527    4.50                    8.21
14          ∞     (可変)                   11.31
15*         7.500    3.13   1.55332  71.7    9.00
16*       -67.550    1.00                    8.33
17(絞り)    ∞       1.00                    7.59
18         12.503    0.60   1.84666  23.8    7.17
19          8.424    1.27                    6.82
20         10.570    4.08   1.58144  40.8    6.74
21         -4.614    0.60   1.80610  33.3    6.06
22         69.938  (可変)                    6.05
23        -17.595    0.70   1.77250  49.6    7.67
24         46.227  (可変)                    8.03
25*        10.257    3.89   1.48749  70.2   11.13
26        -13.610  (可変)                   11.23
27          ∞       0.80   1.51633  64.1   20.00
28          ∞       1.84                   20.00
像面        ∞
【手続補正１７】
【補正対象書類名】明細書
【補正対象項目名】００７９
【補正方法】変更
【補正の内容】
【００７９】
非球面データ
第7面
K  = 2.79987e-001  A 4=-5.35367e-005  A 6=-4.45027e-006
A 8= 1.59055e-008  A10= 1.04575e-009 
第15面
K  =-1.05117e-001  A 4= 6.36084e-006  A 6=-8.64819e-007
A 8= 2.26861e-008
第16面
K =-1.79154e+002  A 4= 1.43988e-004
第25面
K  = 0.00000e+000  A 4=-2.86643e-004  A 6= 5.74087e-007
A 8=-2.33846e-008
各種データ
ズーム比     15.03
広角     中間     望遠
焦点距離       5.18    25.00    77.84 
Fナンバー      3.07     4.33     5.72
半画角（度）  33.59     7.83     2.53 
像高           3.44     3.44     3.44 
レンズ全長     80.03 83.04 88.07
BF             6.35 11.27 4.88
d 5            0.50    11.63    17.50 
d11            9.71     1.54     0.80 
d14           16.47     6.55     4.30 
d22            1.79    11.71    13.97 
d24            7.29     2.43     8.71 
d26            3.98     8.90     2.51 
入射瞳位置    18.09    63.98   164.63 
射出瞳位置   252.96  -261.06    33.94 
前側主点位置  23.38    86.61   431.14 
後側主点位置  -3.34   -23.16   -76.01 
ズームレンズ群データ
群  始面    焦点距離  レンズ構成長  前側主点位置  後側主点位置
1    1      32.16         9.38         2.30         -3.59
2    6      -6.16         7.16         1.31         -3.84
3   12     -90.61         5.10        -0.79         -5.70
4   15      13.48        11.68        -4.04         -9.41
5   23     -16.42         0.70         0.11         -0.28
6   25      12.67         3.89         1.19         -1.57
GB   27       ∞           0.80         0.26         -0.26
単レンズデータ
レンズ  始面  焦点距離
1       1    -59.11
2       2     45.68
3       4     36.19
4       6     -9.17
5       8     -7.35
6      10     10.88
7      12    -90.61
8      15     12.38
9      18    -32.71
10      20      6.13
11      21     -5.35
12      23    -16.42
13      25     12.67
14      27      0.00
【手続補正１８】
【補正対象書類名】明細書
【補正対象項目名】００８０
【補正方法】変更
【補正の内容】
【００８０】
数値実施例３
単位 mm
面データ
面番号       r        d      nd      νd   有効径   外径
1         34.092    1.10   1.84666  23.8  26.50    27.50
2         19.352    4.94   1.49700  81.5  23.60
3        245.625    0.10                  22.28
4         21.016    3.15   1.77250  49.6  21.39
5        103.274  (可変)                  20.94
6         86.233    1.05   1.84954  40.1  13.35
7*         6.606    3.12                   9.44
8        -15.055    0.60   2.00000  40.0   9.19
9         12.951    0.10                   9.19
10         12.063    2.16   1.94595  18.0   9.38
11        -35.833  (可変)                   9.36
12          ∞       4.96                  11.31
13        -15.308    0.60   1.51633  64.1   7.42
14        -41.341  (可変)                   7.49
15*         7.569    2.96   1.55332  71.7   8.11
16*       -24.486    1.00                   7.63
17(絞り)    ∞       1.00                   6.80
18         10.632    0.60   1.84666  23.8   6.59
19          5.868    1.41                   6.23
20          9.638    3.56   1.60342  38.0   6.83
21         -9.408    0.60   1.80610  33.3   6.54
22        715.065  (可変)                   6.55
23        -30.828    0.70   1.77250  49.6   7.48
24         19.534  (可変)                   7.68
25*        10.933    3.46   1.48749  70.2  11.39
26        -16.828  (可変)                  11.34
27          ∞       0.80   1.51633  64.1  20.00
28          ∞       2.40                  20.00
像面        ∞
【手続補正１９】
【補正対象書類名】明細書
【補正対象項目名】００８１
【補正方法】変更
【補正の内容】
【００８１】
非球面データ
第7面
K  = 4.95519e-001  A 4=-1.74245e-004  A 6=-9.87660e-006
A 8= 2.61017e-007  A10=-1.56231e-008 
第15面
K  =-4.55464e-001  A 4=-1.03451e-004  A 6=-5.23921e-007
A 8=-2.56549e-009
第16面
K =-1.42480e-001  A 4= 1.02387e-004
第25面
K  = 0.00000e+000  A 4=-1.56104e-004  A 6= 1.29154e-007
A 8=-8.67868e-009
各種データ
ズーム比     15.10
広角     中間     望遠
焦点距離       5.18    22.00    78.22 
Fナンバー      3.07     4.84     6.46
半画角（度）  33.59     8.89     2.52 
像高           3.44     3.44     3.44 
レンズ全長    73.22 81.45 88.07
BF            8.77 11.74 4.87
d 5            0.50     9.20    15.87 
d11            5.28     4.80     4.80 
d14           13.95     2.68     0.30 
d22            0.85    12.10    14.49 
d24            6.72     3.77    10.57 
d26            5.84     8.81     1.94 
入射瞳位置    17.37    49.95   154.44 
射出瞳位置   -96.21  -174.21    42.84 
前側主点位置  22.28    69.21   383.94 
後側主点位置  -2.78   -19.60   -75.82 
ズームレンズ群データ
群  始面    焦点距離  レンズ構成長  前側主点位置  後側主点位置
1    1      29.61         9.29         2.60         -3.27
2    6      -6.25         7.03         0.99         -4.28
3   12     -47.45         5.56         4.72         -0.63
4   15      12.16        11.12        -0.59         -8.24
5   23     -15.39         0.70         0.24         -0.15
6   25      14.17         3.46         0.95         -1.47
GB   27       ∞           0.80         0.26         -0.26
単レンズデータ
レンズ  始面  焦点距離
1       1    -54.74
2       2     41.96
3       4     33.59
4       6     -8.47
5       8     -6.89
6      10      9.75
7      13    -47.45
8      15     10.80
9      18    -16.42
10      20      8.49
11      21    -11.52
12      23    -15.39
13      25     14.17
14      27      0.00
【手続補正２０】
【補正対象書類名】明細書
【補正対象項目名】００８２
【補正方法】変更
【補正の内容】
【００８２】
数値実施例４
単位 mm
面データ
面番号       r        d      nd      νd   有効径    外径
1         60.269    1.10   1.84666  23.8   27.53    28.50
2         26.489    5.05   1.49700  81.5   26.22
3        -76.755    0.10                   26.09
4         21.031    3.33   1.77250  49.6   23.09
5         75.809  (可変)                   22.45
6*       -46.672    1.05   1.85135  40.1   12.32
7*        13.268    2.42                    8.86
8         -8.325    0.60   1.88300  40.8    8.24
9          8.584    0.10                    8.11
10          9.151    1.90   1.94595  18.0    8.16
11        -84.808  (可変)                    8.13
12          ∞     (可変)                   11.31
13*         6.467    4.00   1.51633  64.1    7.27
14*       -21.838    1.00                    6.41
15(絞り)    ∞       1.00                    5.67
16         89.305    0.60   1.85026  32.3    5.56
17          6.084    1.09                    5.43
18          7.546    3.64   1.51742  52.4    6.30
19         -7.668    0.60   1.88300  40.8    6.56
20*       -22.132  (可変)                    6.86
21*        19.312    2.83   1.48749  70.2   10.24
22        -43.947  (可変)                   10.10
23          ∞       0.80   1.51633  64.1   20.00
24          ∞       4.89                   20.00
像面        ∞
【手続補正２１】
【補正対象書類名】明細書
【補正対象項目名】００８３
【補正方法】変更
【補正の内容】
【００８３】
非球面データ
第6面
K  = 0.00000e+000  A 4= 2.27484e-004  A 6= 1.69367e-005
A 8=-3.96934e-007  A10= 3.67104e-009 
第7面
K  =-1.79858e+000  A 4= 1.66303e-004  A 6= 2.60989e-005
A 8= 3.77154e-008  A10= 1.84548e-008 
第13面
K  =-5.56364e-001  A 4=-5.59307e-005  A 6= 6.34812e-007
A 8=-1.11004e-008
第14面
K = 0.00000e+000  A 4= 1.38992e-004
第20面
K  =-4.82233e+000  A 4= 3.65336e-005  A 6= 7.10381e-006
A 8=-3.92807e-007  A10= 1.65954e-008 
第21面
K  = 0.00000e+000  A 4= 6.02068e-005  A 6=-1.64175e-006
A 8= 3.06501e-008
各種データ
ズーム比     15.67
広角     中間     望遠
焦点距離       5.73    22.00    89.77 
Fナンバー      3.50     4.59     5.49
半画角（度）  31.43     9.04     2.23 
像高           3.50     3.50     3.50 
レンズ全長    71.38 79.79 86.33
BF           10.71 20.63 5.52
d 5            0.50    10.50    17.50 
d11            6.75     5.10     4.80 
d12           17.21     6.55     4.30 
d20            5.79     6.60    23.79 
d22            5.29    15.21     0.10 
入射瞳位置    16.81    57.16   230.25 
射出瞳位置   -27.17   -39.61   477.85 
前側主点位置  21.51    68.29   337.06 
後側主点位置  -0.83   -17.11   -84.88 
ズームレンズ群データ
群  始面    焦点距離  レンズ構成長  前側主点位置  後側主点位置
1    1      29.06         9.58         3.22         -2.74
2    6      -5.25         6.08         1.51         -2.71
3   13      16.98        11.93        -2.90        -10.75
4   21      27.93         2.83         0.59         -1.34
GB   23       ∞           0.80         0.26         -0.26
単レンズデータ
レンズ  始面  焦点距離
1       1    -56.67
2       2     40.28
3       4     36.70
4       6    -12.04
5       8     -4.71
6      10      8.82
7      13     10.15
8      16     -7.70
9      18      8.00
10      19    -13.55
11      21     27.93
12      23      0.00
【手続補正２２】
【補正対象書類名】明細書
【補正対象項目名】００８４
【補正方法】変更
【補正の内容】
【００８４】
数値実施例５
単位 mm
面データ
面番号       r        d      nd       νd   有効径    外径
1         40.115    1.10   1.84666   23.8  27.50    28.50
2         22.601    5.01   1.49700   81.5  24.86
3       -639.469  (可変)                   24.29
4         22.411    3.31   1.77250   49.6  23.18
5         96.137  (可変)                   22.69
6        121.669    1.05   1.84954   40.1  13.43
7*         8.387    3.09                   10.13
8        -13.033    0.60   1.88300   40.8   9.44
9          8.611    0.10                    9.08
10          9.163    2.11   1.94595   18.0   9.09
11        293.593    4.80                    9.00
12          ∞     (可変)                   11.31
13*         7.266    3.67   1.55332   71.7   8.20
14*      -530.318    1.00                    7.18
15(絞り)    ∞       1.00                    6.53
16          9.580    0.60   1.84666   23.8   6.37
17          5.742    1.45                    6.03
18         10.456    3.47   1.56732   42.8   6.45
19         -9.352    0.60   1.80610   33.3   6.47
20        -35.445  (可変)                    6.58
21        -15.120    0.70   1.77250   49.6   6.99
22        118.961  (可変)                    7.26
23*        12.808    3.49   1.48749   70.2  11.80
24        -18.982  (可変)                   11.77
25          ∞       0.80   1.51633   64.1  20.00
26          ∞       2.22                   20.00
像面        ∞
【手続補正２３】
【補正対象書類名】明細書
【補正対象項目名】００８５
【補正方法】変更
【補正の内容】
【００８５】
非球面データ
第7面
K  = 2.50717e-002  A 4=-1.20472e-006  A 6=-6.57466e-006
A 8= 3.87504e-007  A10=-9.80177e-009 
第13面
K  =-3.62944e-001  A 4=-9.47829e-005  A 6=-1.02524e-006
A 8=-1.04732e-008
第14面
K = 0.00000e+000  A 4=-9.61549e-007
第23面
K  = 0.00000e+000  A 4=-9.18726e-005  A 6= 4.92067e-007
A 8=-1.16408e-008
各種データ
ズーム比     16.00
広角     中間     望遠
焦点距離       5.41    23.69    86.55 
Fナンバー      3.07     4.43     5.75
半画角（度）  32.53     8.29     2.28 
像高           3.45     3.45     3.45 
レンズ全長    71.25 81.78 88.07
BF            5.05 11.33 4.88
d 3            0.45     0.80     0.91 
d 5            0.60    10.84    17.14 
d12           21.31     7.45     4.30 
d20            5.69     8.24     6.56 
d22            1.00     5.97    17.13 
d24            2.30     8.58     2.13 
入射瞳位置    18.78    63.41   196.24 
射出瞳位置   -25.37  -204.08    40.49 
前側主点位置  23.13    84.38   478.51 
後側主点位置  -3.19   -21.47   -84.34 
ズームレンズ群データ
群  始面    焦点距離  レンズ構成長  前側主点位置  後側主点位置
1    1     151.93         6.11        -0.93         -4.88
2    4      37.10         3.31        -0.56         -2.39
3    6      -5.50        11.75         1.73         -7.92
4   13      13.72        11.79         0.67         -8.62
5   21     -17.33         0.70         0.04         -0.35
6   23      16.27         3.49         0.98         -1.45
GB   25       ∞           0.80         0.26         -0.26
単レンズデータ
レンズ  始面  焦点距離
1       1    -62.96
2       2     44.03
3       4     37.10
4       6    -10.65
5       8     -5.80
6      10      9.96
7      13     12.99
8      16    -18.24
9      18      9.29
10      19    -15.92
11      21    -17.33
12      23     16.27
13      25      0.00